(57)【要約】【課題】  ＢＳ放送を視聴中に地上デジタル放送のサービス情報を自動的に取得する。【解決手段】  記録再生装置１Ａにおいて、利用者がＢＳ／ＣＳデジタルチューナー１１を用いて視聴中に、ＣＰＵ５０は、地上デジタルチューナー２１の受信チャネルを順次切り替えて視聴可能な地上デジタル放送局を受信して放送データＴＳ２を出力する。この放送データＴＳ２には視聴可能な地上デジタル放送局のサービス情報が含まれる。ＳＩフィルタ２５がサービスデータＳＩ２を出力すると、記録再生制御部３０は情報記録媒体３１にサービスデータＳＩ２を記録する。ＥＰＧ処理部２６はＣＰＵ５０の制御の下、情報記録媒体３１から読み出したサービスデータＳＩ２に基づいて番組案内表データＥＰＧ２を生成する。【選択図】      図１
2008199072.tif 000002
【特許請求の範囲】
【請求項１】
番組案内を示すサービス情報を含む放送信号を受信して放送予定を示す番組案内表を出力する番組案内生成装置において、
衛星から送信される電波を選択的に受信して前記放送信号を出力する第１受信手段と、
複数の地上放送局から送信される電波を選択的に受信して前記放送信号を出力する第２受信手段と、
利用者が前記第１受信手段を用いて放送を視聴している期間の一部又は全部において、前記複数の地上放送局を順次選局するように前記第２受信手段を制御する制御手段と、
前記第２受信手段から出力される前記放送信号から前記サービス情報を抽出する抽出手段と、
前記抽出手段によって抽出された前記サービス情報を記憶するサービス情報記憶手段と、
前記サービス情報記憶手段から前記複数の地上放送局の前記サービス情報を読み出して、読み出した前記サービス情報を加工して前記番組案内表を生成する番組案内表生成手段と、
を備えることを特徴とする番組案内生成装置。
【請求項２】
番組案内を示すサービス情報を含む放送信号を受信して放送予定を示す番組案内表を出力する番組案内生成装置において、
地上放送局から送信される電波を選択的に受信して前記放送信号を出力する第１受信手段と、
前記地上放送局から送信される電波を選択的に受信して前記放送信号を出力する第２受信手段と、
利用者が前記第１受信手段を用いて放送を視聴している期間の一部又は全部において、選局の対象となる地上放送局を順次受信するように前記第２受信手段を制御する制御手段と、
前記第１受信手段から出力される前記放送信号から前記サービス情報を抽出する第１抽出手段と、
前記第２受信手段から出力される前記放送信号から前記サービス情報を抽出する第２抽出手段と、  前記第１抽出手段及び前記第２抽出手段によって抽出された前記サービス情報を記憶するサービス情報記憶手段と、
前記サービス情報記憶手段から地上放送局の前記サービス情報を読み出して、読み出した前記サービス情報を加工して前記番組案内表を生成する番組案内表生成手段と、
を備えることを特徴とする番組案内生成装置。
【請求項３】
前記制御手段は、前記第１受信手段が受信中の前記地上放送局を除いた前記地上放送局を前記選局の対象となる地上放送局として特定し、特定した地上放送局を順次選局するように前記第２受信手段を制御することを特徴とする請求項２に記載の番組案内生成装置。
【請求項４】
前記第１受信手段又は前記第２受信手段によって受信した前記放送信号から分離した映像信号を情報記録媒体に記録する記録手段を備え、
前記制御手段は、前記記録手段が前記第２受信手段から供給される前記映像信号を記録している場合は、利用者が前記第１受信手段を用いて放送を視聴していても選局を記録中の地上放送局のまま維持するように前記第２受信手段を制御する、
ことを特徴とする請求項１乃至３のうちいずれか１項に記載の番組案内生成装置。
【請求項５】
地上放送局から送信される電波を選択的に受信して放送信号を出力する第１受信手段及び第２受信手段を用いて、複数の地上放送局の各々から番組案内を示すサービス情報を含む放送信号を受信して前記複数の地上放送局の放送予定を示す番組案内表を生成する番組案内表の生成方法において、
利用者が前記第１受信手段を用いて放送を視聴している期間の一部又は全部において、視聴可能な地上放送局の中から前記第１受信手段を用いて受信中の地上放送局を除いた地上放送局を特定し、
特定した地上放送局を順次受信するように前記第２受信手段を制御し、
前記第１受信手段及び前記第２受信手段から出力される前記放送信号から前記サービス情報を抽出し、
抽出された前記サービス情報を記憶し、
記憶した前記サービス情報を読み出し、
読み出した前記サービス情報を加工して前記番組案内表を生成する、
ことを特徴とする番組案内表の生成方法。
【発明の詳細な説明】
【技術分野】
【０００１】
本発明は、電子的な番組案内表を生成する番組案内生成装置等に関する。
【背景技術】
【０００２】
近年のデジタルテレビ放送では、ＥＰＧ（Electronic Program Guide）と呼ばれる電子番組ガイドが番組と共に放送されている。ＥＰＧはＳＩ(Service Information)と呼ばれる情報で構成されている。ＳＩ情報は、放送規格の一つであるＡＲＩＢ  ＳＴＤ−Ｂ１０で規定されている。ＳＩ情報はＥＩＴ(Event Information Table)を含む。ＥＩＴは、番組のタイトル、放送日時、放送内容等の情報を示す。受信装置はこのＳＩ情報を受信することによってＥＰＧを生成する。これにより利用者に電子番組表を提供することが可能となる。
デジタルテレビ放送には、衛星を用いたＢＳ／ＣＳデジタル放送の他に地上デジタル放送が運用されている。ＢＳ／ＣＳデジタル放送においては全国共通の放送が実施されるため、ある放送局の放送信号の中には、自局のＳＩ情報の他に他局のＳＩ情報を含んだ全局ＳＩ情報が挿入されている。一方、地上デジタル放送は、地上波を用いて運用されるため、地域毎に受信可能な放送局が相違する。このため、自局のみの個別ＳＩ情報が放送信号に挿入されている。
【０００３】
従って、ＢＳ／ＣＳデジタル放送では、選局をある放送局に固定にしていても他の放送局のＳＩ情報を得ることができる。しかしながら、地上デジタル放送では一つの放送局から自局の個別ＳＩ情報のみが送信されるから、視聴可能な全チャンネルの番組ガイドを表示するのであれば、選局を他の放送局に切り替える必要がある。この場合、番組を途切れなく表示することはできない。特許文献１には、他局の番組ガイドを表示するために、利用者が所定キーを操作した場合に選局を他局に移して個別ＳＩ情報を取得する技術が開示されている。
【特許文献１】特開平２００５−３３６０２号公報（請求項１）
【発明の開示】
【発明が解決しようとする課題】
【０００４】
しかしながら、従来の技術によれば、利用者が所定キーを操作しなければ他局の個別ＳＩ情報を取得できず、操作が煩雑であるといった問題があった。例えば、リモコンで指示を入力する場合には、手元にリモコンがなければリモコンを探す必要があり、また、受信装置のキーを操作する必要がある場合、受信装置から離れた場所で視聴していると利用者が設置場所まで移動してキーを操作する必要があった。
本発明が解決しようとする課題は、従来の技術によって生じる操作の煩雑さといった問題が一例として挙げられる。
【課題を解決するための手段】
【０００５】
請求項１に記載の発明は、番組案内を示すサービス情報を含む放送信号を受信して放送予定を示す番組案内表を出力する番組案内生成装置において、衛星から送信される電波を選択的に受信して前記放送信号を出力する第１受信手段と、複数の地上放送局から送信される電波を選択的に受信して前記放送信号を出力する第２受信手段と、利用者が前記第１受信手段を用いて放送を視聴している期間の一部又は全部において、前記複数の地上放送局を順次選局するように前記第２受信手段を制御する制御手段と、前記第２受信手段から出力される前記放送信号から前記サービス情報を抽出する抽出手段と、前記抽出手段によって抽出された前記サービス情報を記憶するサービス情報記憶手段と、前記サービス情報記憶手段から前記複数の地上放送局の前記サービス情報を読み出して、読み出した前記サービス情報を加工して前記番組案内表を生成する番組案内表生成手段と、を備えることを特徴とする。
【０００６】
請求項２に記載の発明は、番組案内を示すサービス情報を含む放送信号を受信して放送予定を示す番組案内表を出力する番組案内生成装置において、地上放送局から送信される電波を選択的に受信して前記放送信号を出力する第１受信手段と、前記地上放送局から送信される電波を選択的に受信して前記放送信号を出力する第２受信手段と、利用者が前記第１受信手段を用いて放送を視聴している期間の一部又は全部において、選局の対象となる地上放送局を順次受信するように前記第２受信手段を制御する制御手段と、前記第１受信手段から出力される前記放送信号から前記サービス情報を抽出する第１抽出手段と、前記第２受信手段から出力される前記放送信号から前記サービス情報を抽出する第２抽出手段と、前記第１抽出手段及び前記第２抽出手段によって抽出された前記サービス情報を記憶するサービス情報記憶手段と、前記サービス情報記憶手段から地上放送局の前記サービス情報を読み出して、読み出した前記サービス情報を加工して前記番組案内表を生成する番組案内表生成手段と、を備えることを特徴とする。
【０００７】
請求項５に記載の発明は、地上放送局から送信される電波を選択的に受信して放送信号を出力する第１受信手段及び第２受信手段を用いて、複数の地上放送局の各々から番組案内を示すサービス情報を含む放送信号を受信して前記複数の地上放送局の放送予定を示す番組案内表を生成する番組案内表の生成方法において、利用者が前記第１受信手段を用いて放送を視聴している期間の一部又は全部において、視聴可能な地上放送局の中から前記第１受信手段を用いて受信中の地上放送局を除いた地上放送局を特定し、特定した地上放送局を順次受信するように前記第２受信手段を制御し、前記第１受信手段及び前記第２受信手段から出力される前記放送信号から前記サービス情報を抽出し、抽出された前記サービス情報を記憶し、記憶した前記サービス情報を読み出し、読み出した前記サービス情報を加工して前記番組案内表を生成することを特徴とする。
【発明を実施するための最良の形態】
【０００８】
本発明に好適な一実施形態を以下説明する。本発明の第１実施形態の番組案内生成装置は、番組案内を示すサービス情報を含む放送信号を受信して放送予定を示す番組案内表を出力する。この番組案内生成装置は、衛星から送信される電波を選択的に受信して前記放送信号を出力する第１受信手段と、複数の地上放送局から送信される電波を選択的に受信して前記放送信号を出力する第２受信手段と、利用者が前記第１受信手段を用いて放送を視聴している期間の一部又は全部において、前記複数の地上放送局を順次選局するように前記第２受信手段を制御する制御手段と、前記第２受信手段から出力される前記放送信号から前記サービス情報を抽出する抽出手段と、前記抽出手段によって抽出された前記サービス情報を記憶するサービス情報記憶手段と、前記サービス情報記憶手段から前記複数の地上放送局の前記サービス情報を読み出して、読み出した前記サービス情報を加工して前記番組案内表を生成する番組案内表生成手段とを備える。
【０００９】
この実施形態において第１受信手段は、衛星放送の電波を受信する。衛星放送は、例えばＢＳ放送又はＣＳ放送である。この放送信号には、映像信号、音声信号、及びサービス情報が多重化してある。サービス情報は、番組のタイトル、放送日時、放送内容を示す番組案内の他に、放送事業者を識別する情報や現在の時刻を示す情報等を含み得る。また、衛星放送のサービス情報は、当該放送局のサービス情報のみならず全ての放送局のサービス情報を含む。一方、第２受信手段は、地上放送の電波を受信する。地上デジタル放送が地上放送に該当する。地上放送の放送信号は、衛星放送の放送信号と同様に、映像信号、音声信号及びサービス情報を含む。但し、地上放送のサービス情報は、当該放送局のサービス情報のみを含み、視聴可能な他の放送局のサービス情報は含まない。
【００１０】
受信手段によって放送信号が受信されると、抽出手段は放送信号に含まれるサービス情報を抽出する。サービス情報が時分割で放送信号に多重されている場合には、所定のタイミングでサービス情報を放送信号から分離する。このようにして得られたサービス情報はサービス情報記憶手段によって記憶される。番組案内表生成手段は、記憶されたサービス情報に基づいて視聴可能な複数の放送局の放送予定を示す番組案内表を出力する。
【００１１】
利用者は衛星放送か地上放送を選択的に視聴する。従って、利用者が衛星放送を視聴している期間、第２受信手段は空いている。上述いたように地上デジタル放送に含まれるサービス情報は、受信している放送局のサービス情報に限られる。このため、利用者が地上デジタル放送の視聴を開始すると、他の放送局のサービス情報を取得することができなくなる。そこで、制御手段は、利用者が第１受信手段を用いて放送を視聴している期間に、複数の地上放送局を順次選局するように第２受信手段を制御したのである。これにより、地上デジタル放送において、視聴可能な複数の放送局のサービス情報を取得することができる。この結果、利用者がキーを操作しなくても、自動的にサービス情報を取得して番組案内表の生成に備えることができる。なお、第２受信手段がサービス情報を取得する期間は、利用者が第１受信手段を用いて放送を視聴している期間の一部であってもよい。また、利用者が第１受信手段を用いて放送を視聴している期間は、利用者がリモコン等の入力手段を用いて衛星放送を選局している期間を制御手段が特定すればよい。
【００１２】
本発明の第２実施形態の番組案内生成装置は、番組案内を示すサービス情報を含む放送信号を受信して放送予定を示す番組案内表を出力する。この番組案内生成装置は、地上放送局から送信される電波を選択的に受信して前記放送信号を出力する第１受信手段と、前記地上放送局から送信される電波を選択的に受信して前記放送信号を出力する第２受信手段と、利用者が前記第１受信手段を用いて放送を視聴している期間の一部又は全部において、選局の対象となる地上放送局を順次受信するように前記第２受信手段を制御する制御手段と、前記第１受信手段から出力される前記放送信号から前記サービス情報を抽出する第１抽出手段と、前記第２受信手段から出力される前記放送信号から前記サービス情報を抽出する第２抽出手段と、前記第１抽出手段及び前記第２抽出手段によって抽出された前記サービス情報を記憶するサービス情報記憶手段と、前記サービス情報記憶手段から地上放送局の前記サービス情報を読み出して、読み出した前記サービス情報を加工して前記番組案内表を生成する番組案内表生成手段と、を備える。
【００１３】
本実施形態において、第１受信手段及び第２受信手段は共に地上放送（例えば、地上デジタル放送）を受信する。この場合、利用者が第１受信手段を用いて放送を視聴している期間に、選局の対象となる地上放送局を順次選局するように第２受信手段が制御されるので、地上デジタル放送において、視聴可能な複数の放送局のサービス情報を取得することができる。この結果、利用者がキーを操作しなくても、自動的にサービス情報を取得して番組案内表の生成に備えることができる。ここで、選局の対象となる地上放送局は、視聴可能な地上放送局の全部であってもよいし、一部であってもよい。
【００１４】
また、制御手段は、前記第１受信手段が受信中の前記地上放送局を除いた前記地上放送局を前記選局の対象となる地上放送局として特定し、特定した地上放送局を順次選局するように前記第２受信手段を制御することが好ましい。この場合には、第２受信手段の選局の対象となる地上放送局から、第１受信手段で受信中の地上放送局が除かれている。これは、第１受信手段で受信中の放送局については、第２受信手段で受信するまでのなくサービス情報を取得することができるためである。このように、選局の対象から受信中の放送局を除くことによって、効率良く視聴可能な全ての放送局のサービス情報を取得することができる。この結果、全てのサービス情報を取得する時間を短縮することができる。
【００１５】
また、第１実施形態及び第２実施形態において、前記第１受信手段又は前記第２受信手段によって受信した前記放送信号から分離した映像信号を情報記録媒体に記録する記録手段を備え、前記制御手段は、前記記録手段が前記第２受信手段から供給される前記映像信号を記録している場合は、利用者が前記第１受信手段を用いて放送を視聴していても選局を記録中の地上放送局のまま維持するように前記第２受信手段を制御することが好ましい。第１実施形態及び第２実施形態は、第２受信手段が空きとなっている場合に、これを活用してサービス情報を収集しようとするものである。いわゆる裏番組を記録する機能を有する装置では、２系統の受信手段を備え、利用者が視聴している期間に空いている受信手段を用いて番組の録画を行う場合がある。そのような場合には、選局を記録中の地上放送局のまま維持するように第２受信手段を制御する。これによって、利用者が所望する番組を確実に記録することが可能となり、第２受信手段が空いている期間にサービス情報を収集することが可能となる。
【００１６】
また、上述した第２実施形態は、地上放送局から送信される電波を選択的に受信して放送信号を出力する第１受信手段及び第２受信手段を用いて、複数の地上放送局の各々から番組案内を示すサービス情報を含む放送信号を受信して前記複数の地上放送局の放送予定を示す番組案内表を生成する番組案内表の生成方法として把握することができる。この番組案内表の生成方法では、１）利用者が前記第１受信手段を用いて放送を視聴している期間の一部又は全部において、視聴可能な地上放送局の中から前記第１受信手段を用いて受信中の地上放送局を除いた地上放送局を特定し、２）特定した地上放送局を順次受信するように前記第２受信手段を制御し、３）前記第１受信手段及び前記第２受信手段から出力される前記放送信号から前記サービス情報を抽出し、４）抽出された前記サービス情報を記憶し、５）記憶した前記サービス情報を読み出し、６）読み出した前記サービス情報を加工して前記番組案内表を生成する。これにより、利用者があるチャネルを視聴中に何らかのキーを操作してスキャン期間を指定しなくても、自動的に他の放送局のサービス情報を収集して番組案内表の表示に備えることが可能となる。
【実施例】
【００１７】
次に、実施例を具体的に説明する。なお、以下の実施例においては、番組案内表を出力可能であって映像信号及び音声信号を記録再生する記録再生装置を番組案内生成装置の一例として説明するが、本発明の適用される範囲はこの態様に限定されない。
【００１８】
＜第１実施例＞
図１に第１実施例に係る記録再生装置１Ａの構成を示す。衛星から送信されたＢＳ／ＣＳ放送の放送波がアンテナ１０によって受信されＢＳ／ＣＳデジタルチューナー１１に供給される。この放送波には、番組の映像情報及び音声情報の他に、信号の伝送に付帯する付帯情報が含まれる。この付帯情報には番組案内表（以下、ＥＰＧと称する。）の表示のために使用される全局のサービス情報が含まれている。サービス情報は、番組のタイトル、放送日時、放送内容を示す番組案内の他に、放送事業者コード、現在の時刻等を示す。ＢＳ／ＣＳデジタルチューナー１１は、ＣＰＵ５０の制御の下、利用者の選択した受信チャネルに同調して復調処理を施す。復調処理では、データフレームの再構成、誤り訂正、及びデスクランブル等の必要な処理を実行して、ＭＰＥＧ２のトランスポートストリーム（ＴＳ:Transport Stream）形式の放送データＴＳ１を生成する。
【００１９】
また、地上デジタル放送局から送信された放送波は、アンテナ２０によって受信され地上デジタルチューナー２１に供給される。地上デジタルチューナー２１はＢＳ／ＣＳデジタルチューナー１１と同様の処理を実行し、ＭＰＥＧ２のトランスポートストリーム形式の放送データＴＳ２を生成する。なお、地上デジタル放送局から送信される放送波には、ＢＳ／ＣＳデジタル放送と同様に付帯情報が含まれている。但し、地上デジタル放送では各放送局が自局のサービス情報のみを送信するので、放送データＴＳ２には視聴中の放送局のサービス情報のみが重畳されており、他の放送局のサービス情報は含まれていない。なお、本実施例において、ＢＳ／ＣＳ放送と地上デジタル放送とは選択的に視聴可能であり、利用者がＢＳ／ＣＳ放送を視聴している期間は、利用者は地上デジタル放送を視聴することができない。もっともＢＳ／ＣＳ放送の画面と地上デジタル放送の画面を同時に表示装置に表示させる２画面モードを記録再生装置１Ａが備えてもよいが、通常モードでは一方が選択される。
【００２０】
ＣＰＵ５０は、記録再生装置１Ａの各構成部分を制御する制御中枢である。ＲＡＭ６０はＣＰＵ５０の作業領域として機能し、ＲＯＭ６１にはＣＰＵ５０を制御するプログラムや所定の画像データが記憶されている。利用者はリモコン７０を操作して視聴する放送局の選択、番組案内表の表示指示、あるいは予約録画の指示を入力する。リモコン送受信部７１はリモコン７０との通信を行うインターフェースであって、赤外線を用いてリモコン７０と通信を行う。
【００２１】
放送データＴＳ１は第１処理ユニットＵ１に供給され、放送データＴＳ２は第２処理ユニットＵ２に供給される。第１処理ユニットＵ１と第２処理ユニットＵ２は同様に構成されている。ここでは、第２処理ユニットＵ２について説明する。放送データＴＳ２がデマルチプレクサ２２に供給されると、デマルチプレクサ２２は放送データＴＳ２から圧縮音声データ、圧縮映像データ、及び付帯データＤinfを分離する。圧縮音声データ、圧縮映像データ、及び付帯データＤinfは、放送波に含まれる音声情報、映像情報及び付帯情報に各々対応している。圧縮音声データはＭＰＥＧ２−ＡＡＣ形式であり、圧縮映像データはＭＰＥＧ２−Video形式である。オーディオデコーダ２３は入力された圧縮音声データを復号化して音声データＤａ２を生成する。ビデオデコーダ２４は、圧縮映像データを復号して映像データＤｖ２を生成する。ＳＩフィルタ２５は付帯データＤinfからサービス情報を分離してサービスデータＳＩ２を生成する。ここで、デマルチプレクサ２２とＳＩフィルタ２５は、放送データＴＳ２からサービスデータＳＩ２を抽出する手段として機能する。
【００２２】
このサービスデータＳＩ２は記録再生制御部３０を介して情報記録媒体３１に記憶される。情報記録媒体３１は、データの再書き込み及び読み出しが可能なハードディスクやＤＶＤ（Digital Versatile Disc）等である。情報記録媒体３１に記録されたサービスデータＳＩ２は必要に応じて読み出され、第２処理ユニットＵ２のＥＰＧ処理部２６に供給される。ＥＰＧ処理部２６は、読み出されたサービスデータＳＩ２に基づいて番組案内表データＥＰＧ２を生成し、これを出力制御部４０に供給する。なお、情報記録媒体３１には、サービスデータＳＩ２の他に、第１処理ユニットＵ１から供給される音声データＤａ１、映像データＤｖ１、及びサービスデータＳＩ１、第２処理ユニットＵ２から供給される音声データＤａ２及び映像データＤｖ２、並びに予約録画データが記憶される。
【００２３】
ここで、予約録画データは予約録画を指定するデータであって、受信チャネル、録画開始時刻及び録画終了時刻を示す情報を有する。スポーツ中継などで時間が延長された場合、その後の番組編成に変更が生じることがある。このような場合には、放送局から送信されるサービス情報が更新されるが、更新されたサービス情報は放送されるので、サービスデータＳＩ１及びＳＩ２が更新される。ＣＰＵ５０は、サービスデータＳＩ１及びＳＩ２の更新に伴って予約録画データを更新する。これにより、番組編成に変更が生じた場合でも利用者が望む番組を録画することができる。従って、最新のサービス情報を取得することは、所望の番組を確実に録画する観点から重要である。
【００２４】
次に、出力制御部４０は、第１処理ユニットＵ１から供給される音声データＤａ１、映像データＤｖ１、及び番組案内表データＥＰＧ１、第２処理ユニットＵ２から供給される音声データＤａ２、映像データＤｖ２、及び番組案内表データＥＰＧ２、並びにハードディスク等の情報記録媒体３１から再生された再生音声データＤｐａ及び映像データＤｐｖを、ＣＰＵ５０の制御の下、選択して出力する。
【００２５】
上述したように地上デジタル放送においては、各放送局が自局のサービス情報しか送出しないので、視聴可能な他の放送局のサービス情報を取得するためには、地上デジタルチューナー２１の受信チャネルをスキャンして視聴可能な放送局のサービス情報を取得する必要がある。ここで、受信チャネルを順次切り替えるスキャン期間は、利用者の視聴を妨げないように設定する必要がある。本実施例では利用者がＢＳ／ＣＳ放送を視聴している期間に地上デジタルチューナー２１の受信チャネルを順次切り替える。
【００２６】
次に、ＣＰＵ５０が地上デジタル放送局のサービス情報を取得する動作について説明する。図２は、サービス情報所得処理の内容を示すフローチャートである。まず、ＣＰＵ５０はＢＳ／ＣＳ放送の視聴中か否かを判定する（ステップＳ１ａ）。具体的には、利用者がリモコン７０を操作して指定した受信チャネルがＢＳ／ＣＳデジタル放送に属する場合に、ＢＳ／ＣＳ放送の視聴中であると判定する。ＢＳ／ＣＳ放送の視聴中でなければ、ＣＰＵ５０はＢＳ／ＣＳ放送の視聴が開始されるまで、ステップＳ１の判定を繰り返す。一方、ＢＳ／ＣＳ放送の視聴中であると判定された場合には、ＣＰＵ５０は、処理をステップＳ２ａに進め、サービス情報を取得すべき地上デジタル放送局を特定する。
【００２７】
図３は、地上デジタル放送局の特定処理の内容を示すフローチャートである。まず、ＣＰＵ５０は、視聴可能な全ての放送局についてサービス情報を取得したか否かを判定する（ステップＳ２０ａ）。この際、ＣＰＵ５０は情報記録媒体３１からサービスデータＳＩ２を読み出して、視聴可能な放送局のうちサービス情報が記憶されていない放送局があるか否かを判定する。全ての放送局についてサービス情報の取得が終了している場合には、ＣＰＵ５０は取得時刻が最も古い放送局をサービス情報を取得すべき放送局として特定する（ステップＳ２１ａ）。一方、サービス情報を取得していない放送局がある場合には、当該放送局をサービス情報を取得すべき放送局として特定する（ステップＳ２２ａ）。全ての放送局についてサービス情報が取得されている場合に取得時刻が最も古い放送局を特定したのは、サービス情報が更新されている可能性が高いからである。即ち、スポーツ中継の延長や災害等の発生があると番組の編成が変更される場合ある。この実施例によれば、そのような場合に最新のサービス情報を取得してサービスデータＳＩ２を更新することが可能となる。
【００２８】
説明を図２に戻す。サービス情報を取得すべき放送局が特定されると、ＣＰＵ５０は特定した放送局にチューニングするように地上波デジタルチューナー２１を制御する（ステップＳ３ａ）。これにより、特定した放送局のサービスデータＳＩ２がＳＩフィルタ２５から出力され、特定した放送局のサービス情報を取得することができる（ステップＳ４ａ）。そして、ＣＰＵ５０は記録再生制御部３０を制御して取得したサービスデータＳＩ２を情報記録媒体３１に記録する（ステップＳ５ａ）。この後、ＣＰＵ５０は、処理をステップＳ１ａに戻す。
【００２９】
図４を参照して、地上デジタル放送局のサービス情報を取得する動作を具体的に説明する。同図において太枠で囲まれた部分は利用者が視聴していることを示す。この例では、時刻ｔ０から時刻ｔ１までの期間及び時刻ｔ２から時刻ｔ３までの期間において、ＢＳ／ＣＳ放送が視聴されており当該期間がスキャン期間となる。このスキャン期間において、地上デジタルチューナー２１は受信チャネルを順次切り替えて視聴可能な複数の放送局からサービス情報を取得する。この例では、時刻ｔ０から時刻ｔ１までの期間に二つの地上放送の放送局ＴＶ１及びＴＶ２のサービスデータＳＩ２を取得し、時刻ｔ２から時刻ｔ３までの期間に二つの地上放送の放送局ＴＶ３及びＴＶ４のサービスデータＳＩ２を取得する。また、時刻ｔ１から時刻２までの期間においては地上デジタル放送の視聴となる。この場合、視聴中の放送局ＴＶ１０のサービスデータＳＩ２が取得される。これにより、個別のサービス情報を送信する地上デジタル放送において、記録再生装置１Ａは、視聴可能な各放送局のサービス情報を取得することができる。
【００３０】
そして、利用者がリモコン７０を操作して番組案内表の表示を指示すると、ＣＰＵ５０はリモコン送受部７１を介して指示を検知し、番組案内表を表示するように制御を実行する。この制御によって以下の処理が実行される。第１に、記録再生制御部３０を制御して情報記録媒体３１からサービスデータＳＩ２を読み出す。第２に、読み出されたサービスデータＳＩ２がＥＰＧ処理部２６に供給され、サービスデータＳＩ２に基づいて番組案内表データＥＰＧ２が生成される。換言すれば、ＥＰＧ処理部２６は、情報記録媒体３１から複数の放送局のサービスデータＳＩ２を読み出して、読み出したサービスデータＳＩ２を加工して番組案内表データＥＰＧ２を生成する手段として機能する。第３に、出力制御部４０が番組案内表データＥＰＧ２を選択し、これをＤ／Ａ変換して得た映像信号を表示装置２に出力する。図５に表示装置２の画面に表示される番組案内表の一例を示す。番組案内表の第１領域Ｘ１には、視聴可能な地上デジタル放送局名が表示され、その第２領域Ｘ２には番組名が表示される。そして、利用者がリモコン７０を操作すると、デジタル放送局名及び番組名を選択できるようになっており、選択した番組の詳細な内容が第３領域Ｘ３に表示される。
【００３１】
以上、説明したように本実施例によれば、ＢＳ／ＣＳ放送を視聴中に空きとなっている地上デジタルチューナー２１を有効に活用して、視聴可能な複数の放送局のサービスデータＳＩ２を取得したので、自動的に他の地上デジタル放送局のサービス情報を取得して番組案内表の表示に備えることができる。従って、利用者が何らかの操作をしてスキャン期間を特定しなくてもよく、利便性が大幅に向上する。
【００３２】
なお、第１実施例において、利用者がＢＳ／ＣＳデジタルチューナー１１を用いて視聴している期間に、地上デジタルチューナー２１を用いて裏番組を録画している場合には、地上デジタルチューナー２１の受信チャネルを切り替えて視聴可能な各放送局のサービス情報を取得しなくてもよい。また、地上デジタルチューナー２１を用いた受信チャネルのスキャンは、利用者がＢＳ／ＣＳデジタルチューナー１１を用いて視聴している期間の一部で実行してもよい。
【００３３】
＜第２実施例＞
図６に第２実施例に係る記録再生装置１Ｂの構成を示す。記録再生装置１Ｂは、アンテナ１０、ＢＳ／ＣＳデジタルチューナー１１及び第１処理ユニットＵ１の替わりにアンテナ８０、第１地上デジタルチューナー８１及び第３処理ユニットＵ３を備える点を除いて、図１に示す第１実施例の記録再生装置１Ａと同様に構成されている。なお、第２実施例においては、第１実施例の地上デジタルチューナー２１に相当するチューナーを第２地上デジタルチューナー２１と称する。また、第３処理ユニットＵ３は上述した第２処理ユニットＵ２と同様に構成されている。
【００３４】
地上デジタル放送局から送信された放送波は、アンテナ８０によって受信され第１地上デジタルチューナー８１に供給される。第１地上デジタルチューナー８１はＭＰＥＧ２のトランスポートストリーム形式の放送データＴＳ３を生成する。第３処理ユニットＵ３は、放送データＴＳ３から、音声データＤａ３及び映像データＤｖ３の他サービスデータＳＩ２を生成する。即ち、本実施例においては、地上デジタル放送を受信可能なチューナーを複数備える。第１地上デジタルチューナー８１の他に第２地上デジタルチューナー２１を設けたので、一方のチューナーである番組を視聴中に他方のチューナーで他の地上デジタル放送を受信してこれを録画することができる。また、両方のチューナーを用いて２つの番組を同時に情報記録媒体３１に記録することも可能である。
【００３５】
本実施例では、一方のチューナーで地上デジタル放送を視聴している場合に、他方のチューナーを用いて、視聴可能な他の放送局のサービス情報を取得する。以下、ＣＰＵ５０が地上デジタル放送局のサービス情報を取得する動作について説明する。図７は、サービス情報所得処理の内容を示すフローチャートである。まず、ＣＰＵ５０は、第１地上デジタルチューナー８１と第２地上デジタルチューナー２１のうち一方が空いており、他方を用いて視聴中か否かを判定する（ステップＳ１ｂ）。この判定条件が否定された場合は肯定されるまで判定を繰り返す。そして、判定条件が肯定されると、ＣＰＵ５０は処理をステップＳ２ｂに進め、サービス情報を取得すべき地上デジタル放送局を特定する。
【００３６】
図８は、第２実施例に係わる地上デジタル放送局の特定処理の内容を示すフローチャートである。まず、ＣＰＵ５０は、視聴可能な地上デジタル放送局の内、他方の地上デジタルチューナーで視聴中の放送局以外の放送局を特定する（ステップＳ２０ｂ）。視聴可能な地上デジタル放送局は、地域により相違する。このため、第１及び第２地上デジタルチューナー８１及び２１が視聴可能な受信チャネルを特定するため、初期設定において、同調周波数のスキャンを行い電波が送信されるチャネルを探索する。そして、電波を所定レベル以上の電力で受信されたチャネルを視聴可能な受信チャネルとして特定して記憶する。
【００３７】
次に、ＣＰＵ５０は、特定された全ての放送局について、サービス情報を取得したか否かを判定すし（ステップＳ２１ｂ）、全ての放送局についてサービス情報の取得が終了している場合には、取得時刻が最も古い放送局をサービス情報を取得すべき放送局として特定する（ステップＳ２２ｂ）。一方、サービス情報を取得していない放送局がある場合には、当該放送局がサービス情報を取得すべき放送局として特定する（ステップＳ２３ｂ）。
【００３８】
第２実施例では、他方のチューナーで視聴可能な地上デジタル放送局のサービス情報を取得する場合、一方のチューナーで視聴中の放送局を除いて受信チャネルのスキャンを行う。この点は、サービス情報の取得時間を短縮する上で重要である。一般に、サービス情報は細切れに分割されある周期で地上デジタル放送局から送信される。従って、全てのサービス情報を完全に取得するためには、長時間を要するのが通常である。このため、視聴可能な全ての放送局についてサービス情報を取得するには、さらに時間がかかる。そこで、一方のチューナーを用いて視聴中の放送局については、当該チューナーによってサービス情報を取得し、その他の視聴可能な放送局については他方のチューナーを用いてサービス情報を取得したのである。これにより、サービス情報を取得する時間を短縮することが可能となる。なお、図７に示すステップＳ３ｂ〜ステップＳ５ｂは、第１実施例のステップＳ３ａ〜ステップＳ５ａと同様の処理であるから、説明を省略する。
【００３９】
図９を参照して、第２実施例における地上デジタル放送局のサービス情報を取得する動作を具体的に説明する。同図において太枠で囲まれた部分は利用者が視聴していることを示す。この例では、利用者は第１地上デジタルチューナー８１を用いて放送を視聴している。そして、時刻ｔ０から時刻ｔ１までの期間Ｔ１に放送局ＴＶ１を視聴し、時刻ｔ１から時刻ｔ２までの期間Ｔ２に放送局ＴＶ５を視聴している。一方、第２地上デジタルチューナー２１では、期間Ｔ１において放送局ＴＶ１を除く視聴可能な放送局が特定され、期間Ｔ２において放送局ＴＶ５を除く視聴可能な放送局が特定される。この結果、第２地上デジタルチューナー２１によって、期間Ｔ１では放送局ＴＶ２、ＴＶ３、及びＴＶ４のサービス情報が取得され、期間Ｔ２では放送局ＴＶ６、ＴＶ７、及びＴＶ８のサービス情報が取得される。これにより、効率良く視聴可能な放送局のサービス情報を取得して、番組案内表の表示に備えることができる。
【００４０】
なお、第２実施例において、一方のチューナーを用いて利用者が視聴中に、他方のチューナーにおいて視聴中の放送局も含めて視聴可能な全ての放送局のサービス情報を取得してもよい。また、他方のチューナーを用いて裏番組を録画しているときには、他方のチューナーの受信チャネルを切り替えて視聴可能な各放送局のサービス情報を取得しなくてもよい。また、他方のチューナーを用いた受信チャネルのスキャンは、利用者が一方のチューナーを用いて視聴している期間の一部で実行してもよい。
【図面の簡単な説明】
【００４１】
【図１】第１実施例の記録再生装置の構成を示すブロック図である。
【図２】同実施例における地上デジタル放送局のサービス情報取得処理の処理内容を示すフローチャートである。
【図３】同実施例における地上デジタル放送局の特定処理を説明するためのフローチャートである。
【図４】同実施例におけるサービス情報の取得動作を具体的に説明するための説明図である。
【図５】番組案内表の一例を示す説明図である。
【図６】第２実施例の記録再生装置の構成を示すブロック図である。
【図７】同実施例における地上デジタル放送局のサービス情報取得処理の処理内容を示すフローチャートである。
【図８】同実施例における地上デジタル放送局の特定処理を説明するためのフローチャートである。
【図９】同実施例におけるサービス情報の取得動作を具体的に説明するための説明図である。
【符号の説明】
【００４２】
１１…ＢＳ／ＣＳデジタルチューナー、２１…地上デジタルチューナー，第２地上デジタルチューナー、２２…デマルチプレクサ、２５…ＳＩフィルタ、２６…ＥＰＧ処理部、８１…第１地上デジタルチューナー、３０…記録再生制御部、３１…情報記録媒体、５０…ＣＰＵ、ＴＳ１〜ＴＳ３…放送データ、ＳＩ２…サービスデータ。
【図１】
2008199072.tif 000003
【図２】
2008199072.tif 000004
【図３】
2008199072.tif 000005
【図４】
2008199072.tif 000006
【図５】
2008199072.tif 000007
【図６】
2008199072.tif 000008
【図７】
2008199072.tif 000009
【図８】
2008199072.tif 000010
【図９】
2008199072.tif 000011